(57)【要約】【課題】顧客の要望に応じて顧客の元に青果を届けることができると共に、輸送コストの低減を図ることができる収容箱を提供する。【解決手段】収容箱１１は、底板部１２ａと、底板部１２ａと離隔して配置される天板部１３ａと、ポットＰを保持する保持部２１と、長手方向の長さが可変であって、長手方向の一方端において底板部１２ａと接続され、長手方向の他方端において天板部１３ａと接続され、底板部１２ａと天板部１３ａとの間に青果Ｆを配置する空間Ｓを確保する柱部１３ａ〜１３ｄと、を備える。【選択図】図１
2020117249.tif 000002
【特許請求の範囲】
【請求項１】
ポットを用いて栽培される青果を収容する収容箱であって、
底板部と、
前記底板部と離隔して配置される天板部と、
前記ポットを保持する保持部と、
長手方向の長さが可変であって、長手方向の一方端において前記底板部と接続され、長手方向の他方端において前記天板部と接続され、前記底板部と前記天板部との間に前記青果を配置する空間を確保する柱部と、を備える、収容箱。
【請求項２】
前記柱部は、
前記底板部に接続される筒状の第１部分と、
前記天板部に接続され、前記第１部分内に収容可能な第２部分と、
前記第１部分内に前記第２部分の少なくとも一部を収容した状態で前記第２部分の長手方向の位置を固定するジョイント部と、を含む、請求項１に記載の収容箱。
【請求項３】
前記ポット内に液体を供給する供給機構をさらに備える、請求項１または請求項２に記載の収容箱。
【請求項４】
前記底板部と前記天板部との間の空間を外部から仕切る仕切り部をさらに備える、請求項１から請求項３のいずれか１項に記載の収容箱。
【請求項５】
前記仕切り部は、可撓性を有する部材を含む、請求項４に記載の収容箱。
【請求項６】
前記仕切り部は、前記空間を外部から視認可能な透明部材から構成される、請求項４または請求項５に記載の収容箱。
【請求項７】
前記空間内において前記青果の位置を規制する規制部をさらに備える、請求項１から請求項６のいずれか１項に記載の収容箱。
【請求項８】
柱状であって、長手方向の長さが可変であり、前記空間内に配置されて前記青果を支持する支柱をさらに備える、請求項１から請求項７のいずれか１項に記載の収容箱。
【請求項９】
前記底板部および前記天板部は、それぞれ板厚方向に見た平面視で長方形状を有し、
前記柱部は、前記底板部および前記天板部の４つの角を含む領域に４つ備えられる、請求項１から請求項８のいずれか１項に記載の収容箱。
【発明の詳細な説明】
【技術分野】
【０００１】
この発明は、収容箱に関するものである。
【背景技術】
【０００２】
果物を輸送する際、収穫した果実を収容するのに用いられる容器が従来から知られている（例えば、特許文献１および特許文献２参照）。
【先行技術文献】
【特許文献】
【０００３】
【特許文献１】特開平１１−４９２６４号公報
【特許文献２】特開２０１８−１０４０６３号公報
【発明の概要】
【発明が解決しようとする課題】
【０００４】
顧客の要望に応じて顧客の元に青果を届けることが求められる。また、青果を搬送する際には、できるだけ搬送コストを抑えることが求められる。
【０００５】
この発明の目的は、顧客の要望に応じて顧客の元に青果を届けることができると共に、輸送コストの低減を図ることができる収容箱を提供することである。
【課題を解決するための手段】
【０００６】
この発明に係る収容箱は、ポットを用いて栽培される青果を収容する収容箱である。収容箱は、底板部と、底板部と離隔して配置される天板部と、ポットを保持する保持部と、長手方向の長さが可変であって、長手方向の一方端において底板部と接続され、長手方向の他方端において天板部と接続され、底板部と天板部との間に青果を配置する空間を確保する柱部と、を備える。
【０００７】
青果については土壌に苗を植えて栽培する土耕方法に対し、例えばポットと呼ばれるプラスチック製の容器を用い、ポット内に苗を植えて栽培する方法がある。このようなポット栽培によれば、苗の移植が容易である。また、供給する養液の量の調整をシステム化することが容易となり、効率的に青果を育成することができる。
【０００８】
上記収容箱によると、ポットごと青果を移動させることが容易になる。すなわち、青果について果実が生る場合、ポットから延びる蔓や茎に果実を取り付けたままの状態で移動させることも容易になる。
【０００９】
上記収容箱によると、ある程度育成されたポット栽培の青果について、底板部、天板部および長手方向の一方端において底板部と接続され、長手方向の他方端において天板部と接続され、底板部と天板部との間に青果を配置する空間を確保する柱部によって形成される空間にポットごと青果を収容することができる。よって、果実が蔓や茎に付いた状態で、青果を出荷することが可能になる。したがって、果実を蔓や茎から切断して収穫することなく輸送することができる。収容箱は、ポットを保持する保持部を備えるため、輸送中にポットを安定して保持することができる。
【００１０】
ここで、上記収容箱は、長手方向の長さが可変な柱部を備えるため、輸送時に柱部を短くして底板部と天板部との距離を近くし、全体の大きさを小さくすることができる。すなわち、輸送時に収容箱が占める体積を小さくすることができる。よって、輸送コストを抑えることができる。
【００１１】
輸送して顧客の元に届けられた後には、柱部を長くして底板部と天板部との間隔を遠ざけ、青果が収容される空間を大きくすることができる。したがって、輸送後にこのような状態として、例えばしばらく収穫を待機して、青果に生っている果実を熟成させることができる。すなわち、青果の果実を収容箱内で完熟させることも可能になる。顧客は、顧客の望むタイミングで蔓や茎から果実を取り外すことにより、顧客の望むタイミングで果実を収穫することができる。
【００１２】
以上より、上記収容箱によれば、顧客の要望に応じて顧客の元に青果を届けることができると共に、輸送コストの低減を図ることができる。
【００１３】
上記収容箱において、柱部は、底板部に接続される筒状の第１部分と、天板部に接続され、第１部分内に収容可能な第２部分と、第１部分内に第２部分の少なくとも一部を収容した状態で第２部分の長手方向の位置を固定するジョイント部とを含んでもよい。このようにすることにより、柱部を短くする際、筒状の第１部分内に第２部分の少なくとも一部を収容し、ジョイント部で第２部分の長手方向の位置を固定することができる。したがって、底板部と天板部との距離を望みの距離として、収容箱の大きさを調整することが容易になる。
【００１４】
上記収容箱は、ポット内に液体を供給する供給機構をさらに備えてもよい。このようにすることにより、収容箱内に青果がポットごと収容された際に、供給機構によりポット内に養液を供給することができる。よって、例えば輸送中に養液を青果に供給することができ、青果の育成の促進を図ることができる。
【００１５】
上記収容箱は、底板部と天板部との間の空間を外部から仕切る仕切り部をさらに備えてもよい。このようにすることにより、収容箱の外部から青果が配置される空間を離隔して、例えば、収容箱内の温度や湿度を安定させることが容易となる。したがって、輸送する青果の品質向上を図ることができる。
【００１６】
上記収容箱において、仕切り部は、可撓性を有する部材を含んでもよい。このようにすることにより、柱部を短くして底板部と天板部との距離を縮めた場合において、可撓性を有する部材が撓んで、収容箱の容積の変化に仕切り部の形状を対応させることができる。また、柱部を短くした後、再度柱部を長くして容積を大きくしても空間のサイズの変化に仕切り部は対応することができる。したがって、収容箱内の温度や湿度をより安定させることができ、輸送する青果の品質向上をさらに図ることができる。
【００１７】
上記収容箱において、仕切り部は、空間を外部から視認可能な透明部材から構成されてもよい。このようにすることにより、青果を収容箱内に収容した後においても、青果の状態を外部から容易に視認することができる。また、収容箱内に配置される青果に外部から光を供給することができる。したがって、例えば輸送中においても光合成を促進して、青果の育成の促進を図ることができる。
【００１８】
上記収容箱は、空間内において青果の位置を規制する規制部をさらに備えてもよい。このようにすることにより、輸送時において収容箱内における青果の移動を規制することができ、青果が輸送中に移動して衝突したり、衝突に伴って損傷するおそれを低減することができる。
【００１９】
上記収容箱は、柱状であって、長手方向の長さが可変であり、空間内に配置されて青果を支持する支柱をさらに備えてもよい。このようにすることにより、輸送中に青果を支柱によって支持することができる。したがって、輸送中における収容箱内における青果の姿勢や位置を安定させて、青果を損傷させるおそれを低減することができる。この場合、支柱は長手方向の長さが可変であるため、柱部の長さの変更に合わせて支柱の長さを変更することができる。したがって、収容箱の容積の変化に対応することができる。
【００２０】
上記収容箱において、底板部および天板部は、それぞれ板厚方向に見た平面視で長方形状を有し、柱部は、底板部および天板部の４つの角を含む領域に４つ備えられてもよい。このようにすることにより、４つの柱部と底板部と天板部との間の空間で、収容箱内に配置される青果の配置されるスペースを確保することができる。
【発明の効果】
【００２１】
上記収容箱によると、顧客の要望に応じて顧客の元に青果を届けることができると共に、輸送コストの低減を図ることができる。
【図面の簡単な説明】
【００２２】
【図１】実施の形態１における収容箱の外観を示す概略斜視図である。
【図２】実施の形態１における収容箱の概略側面図である。
【図３】図２中のＩＩＩ−ＩＩＩで示す断面で切断してＺ方向に見た状態を示す図である。
【図４】図２中のＩＶ−ＩＶで示す断面で切断してＺ方向に見た状態を示す図である。
【図５】実施の形態１における柱部を縮めた収容箱を示す概略側面図である。
【図６】実施の形態２における収容箱の概略斜視図である。
【図７】実施の形態３における収容箱の概略側面図である。
【図８】実施の形態４における収容箱の概略側面図である。
【図９】実施の形態５における収容箱の概略側面図である。
【発明を実施するための形態】
【００２３】
次に、本願発明の一実施形態に係る収容箱を、以下に図面を参照しつつ説明する。なお、以下の図面において同一または相当する部分には同一の参照符号を付しその説明は繰り返さない。
【００２４】
（実施の形態１）
本願に係る収容箱の一実施の形態である実施の形態１を、図１〜図５を参照しつつ説明する。図１は、実施の形態１における収容箱の外観を示す概略斜視図である。図２は、実施の形態１における収容箱の概略側面図である。図１および図２において、幅方向をＸ方向、奥行き方向をＹ方向、高さ方向をＺ方向とする。
【００２５】
図１および図２を参照して、実施の形態１における収容箱１１は、ポット栽培の青果Ｆを収容して輸送する際に用いられる。青果Ｆは、ポットＰから延びる蔓Ｔの先に葉や略球状の果実Ｍが生っている。収容箱１１において輸送される青果Ｆとしては、例えば、メロンや瓜等が挙げられる。なお、青果Ｆとして果実Ｍが生る場合について以下説明するが、青果Ｆについては、果実Ｍが生らない場合についても適用される。
【００２６】
収容箱１１は、直方体形状である。収容箱１１は、底板部１２ａと、天板部１２ｂと、を備える。底板部１２ａおよび天板部１２ｂは、それぞれ板厚方向に見た平面視（矢印Ｚで示す方向で見た場合）で、長方形の形状を有する。底板部１２ａおよび天板部１２ｂは共に、平板状である。底板部１２ａと天板部１２ｂとは、同じ形状、すなわち、同じ厚みおよび同じ大きさである。底板部１２ａと天板部１２ｂとは、高さ方向に間隔をあけて、板厚方向に見た平面視で重なるように配置される。
【００２７】
収容箱１１は、複数の柱部、本実施形態においては、４本の柱部１３ａ，１３ｂ，１３ｃ，１３ｄを備える。柱部１３ａ〜１３ｄは、高さ方向が長手方向となるように配置される。柱部１３ａ〜１３ｄは、Ｚ方向に真っ直ぐに延びるよう配置される。具体的には、柱部１３ａ〜１３ｄの両端部はそれぞれ、底板部１２ａのうちの天板部１２ｂに対向する面と、天板部１２ｂのうちの底板部１２ａに対向する面と接触するように配置される。柱部１３ａ〜１３ｄはそれぞれ、長手方向の一方端において底板部１２ａと接続され、長手方向の他方端において天板部１２ｂと接続されている。４本の柱部１３ａ〜１３ｄはそれぞれ、底板部１２ａおよび天板部１２ｂの四隅を含む領域に配置されている。すなわち、実施の形態１における収容箱１１において、４つの柱部１３ａ〜１３ｄは、底板部１２ａおよび天板部１２ｂの４つの角を含む領域に４つ備えられる。収容箱１１は、底板部１２ａ、天板部１２ｂおよび４本の柱部１３ａ〜１３ｄによって取り囲まれる空間Ｓに、ポット栽培の青果Ｆを収容する。柱部１３ａ〜１３ｄはそれぞれ、長手方向の長さが可変である。柱部１３ａ〜１３ｄの具体的な構成については、後に詳述する。
【００２８】
収容箱１１は、２本の棒状の連結部１４ａ，１４ｂを備える。連結部１４ａは、底板部１２ａに近い領域においてＸ方向に延び、柱部１３ａと柱部１３ｂとを連結する。連結部１４ａにより、柱部１３ａと柱部１３ｂとのＸ方向の間隔を一定に保つことが容易となる。連結部１４ｂは、底板部１２ａに近い領域においてＸ方向に延び、柱部１３ｃと柱部１３ｄとを連結する。連結部１４ｂにより、柱部１３ｃと柱部１３ｄとのＸ方向の間隔を一定に保つことが容易となる。連結部１４ａ，１４ｂにより、収容箱１１の強度を高めることができる。
【００２９】
また、収容箱１１は、４本の棒状の連結部１５ａ，１５ｂ，１５ｃ，１５ｄを備える。４本の連結部１５ａ〜１５ｄはそれぞれ高さ方向における柱部１３ａ〜１３ｄの中央付近に配置される。連結部１５ａは、Ｘ方向において柱部１３ａと柱部１３ｂとを連結する。連結部１５ｂは、Ｙ方向において柱部１３ｂと柱部１３ｃとを連結する。連結部１５ｃは、Ｘ方向において柱部１３ｃと柱部１３ｄとを連結する。連結部１５ｄは、Ｙ方向において柱部１３ｄと柱部１３ａとを連結する。連結部１５ａ〜１５ｄにより、収容箱１１の強度を高めることができる。
【００３０】
収容箱１１は、底板部１２ａと天板部１２ｂとの間の空間Ｓを外部から仕切る仕切り部１６ａ，１６ｂ，１６ｃ，１６ｄを備える。仕切り部１６ａは、底板部１２ａと天板部１２ｂと柱部１３ａと柱部１３ｂとによって取り囲まれる領域に配置される。仕切り部１６ｂは、底板部１２ａと天板部１２ｂと柱部１３ｂと柱部１３ｃとによって取り囲まれる領域に配置される。仕切り部１６ｃは、底板部１２ａと天板部１２ｂと柱部１３ｃと柱部１３ｄとによって取り囲まれる領域に配置される。仕切り部１６ｄは、底板部１２ａと天板部１２ｂと柱部１３ｄと柱部１３ａとによって取り囲まれる領域に配置される。
【００３１】
仕切り部１６ａ〜１６ｄはそれぞれ、可撓性を有する部材から構成される。仕切り部１６ａ〜１６ｄは、空間Ｓを外部から視認可能な透明部材から構成される。具体的には、例えば、仕切り部１６ａ〜１６ｄは、ビニル樹脂から構成される。
【００３２】
収容箱１１は、ポットＰを保持する保持部２１を備える。図３は、図２中のＩＩＩ−ＩＩＩで示す断面で切断してＺ方向に見た状態を示す図である。併せて図３を参照して、保持部２１は、２本の棒状の接続部２２ａ，２２ｂを含む。対となる２本の接続部２２ａ，２２ｂは、Ｘ方向に間隔をあけて平行に配置される。接続部２２ａ，２２ｂはそれぞれ、両端部が連結部１４ａ，１４ｂに接続されている。保持部２１は、接続部２２ａ，２２ｂの間の隙間ＧにポットＰの一部を嵌め込むように配置して、空間Ｓ内においてポットＰを保持する。保持部２１によって、特に輸送時において、ポットＰを移動しないように規制することができる。
【００３３】
収容箱１１は、空間Ｓ内において青果Ｆの位置を規制する規制部２３を備える。図４は、図２中のＩＶ−ＩＶで示す断面で切断してＺ方向に見た状態を示す図である。併せて図４を参照して、規制部２３は、一対の接続部２４ａ，２４ｂおよび一対の接続部２５ａ，２５ｂを含む。対となる接続部２４ａ，２４ｂは、Ｘ方向に間隔をあけて平行に配置される。接続部２４ａ，２４ｂはそれぞれ、両端部が連結部１５ａ，１５ｃに接続されている。対となる接続部２５ａ，２５ｂは、Ｙ方向に間隔をあけて平行に配置される。接続部２５ａ，２５ｂはそれぞれ、両端部が連結部１５ｂ，１５ｄに接続されている。接続部２５ａ，２５ｂは、接続部２４ａ，２４ｂよりもやや天板部１２ｂ側に配置される。接続部２４ａ，２４ｂはそれぞれ、接続部２５ａ，２５ｂとＺ方向に接触するように配置される。規制部２３は、一対の接続部２４ａ，２４ｂおよび一対の接続部２５ａ，２５ｂによって格子状に形成される載置領域Ａにおいて青果Ｆのうちの球状の果実Ｍを載置することにより青果Ｆの果実Ｍの位置を規制する。この場合、略球状の果実Ｍの一部を格子状の部分に嵌め込んで下から支える構成となる。
【００３４】
収容箱１１は、空間Ｓ内に配置されて青果Ｆを支持する支柱２６を備える。支柱２６は、柱状であって、高さ方向が長手方向となるように配置される。支柱２６は、Ｚ方向に真っ直ぐに延びるよう配置される。支柱２６の両端部は、底板部１２ａと天板部１２ｂとにそれぞれ接続されている。支柱２６は、底板部１２ａを板厚方向に見た平面視で、ポットＰが配置される位置の近傍であって、底板部１２ａのほぼ中央領域に配置されている。支柱２６は、青果Ｆの蔓Ｔを巻きつけるようにして、青果Ｆの蔓Ｔを支持する。支柱２６についても、長手方向の長さが可変である。支柱２６のうちの長手方向の長さが可変である構成については、後述する柱部１３ａの構成と同様である。
【００３５】
収容箱１１は、ポットＰ内に液体を供給する供給機構２７を備える。供給機構２７は、液体、具体的には養液が収容された容器Ｃを空間Ｓ内で保持する取り付け部２８と、容器ＣからポットＰ内に延びる管２９とを含む。取り付け部２８は、空間Ｓ内において、柱部１３ａに設置されている。供給機構２７において、取り付け部２８に容器Ｃを取り付け、容器Ｃに形成される開口部分に管２９を接続することにより、容器Ｃ中の養液をポットＰ内に適宜供給することができる。
【００３６】
ここで、柱部１３ａの具体的な構成について説明する。なお、他の柱部１３ｂ，１３ｃ，１３ｄの構成については、柱部１３ａと同様であるため、それらの説明を省略する。
【００３７】
柱部１３ａは、第１部分３１ａと、第２部分３２ａと、ジョイント部３３ａとを含む（特に図２参照）。第１部分３１ａは、円筒状である。第１部分３１ａの一方端部３６ａは、底板部１２ａに接続される。第１部分３１ａの他方端部は、ジョイント部３３ａに接続される。第２部分３２ａは、円柱状である。円柱状の第２部分３２ａは、底板部１２ａの板厚方向に見た平面視において、円筒状の第１部分３１ａの内部に収容可能な直径である。第２部分３２ａの一方端部３７ａは、天板部１２ｂに接続される。第２部分３２ａの他方端部は、ジョイント部３３ａに接続されている。第１部分３１ａと第２部分３２ａとが連結される部分に、ジョイント部３３ａが取り付けられる。ジョイント部３３ａは、図２中の矢印Ｗで示す一方向に回転させることにより、第１部分３１ａ内に第２部分３２ａの少なくとも一部が収容された状態で第１部分３１ａを内側に締め付けて第２部分の長手方向の位置を固定することができる。また、ジョイント部３３ａを矢印Ｗと逆で示す多方向に回転させることにより、第１部分３１ａの締め付けを緩めて固定を解除することができる。すなわち、第１部分３１ａ内に収容する第２部分３２ａの長さを調整し、ジョイント部３３ａにより第１部分３１ａに対する第２部分３２ａの位置を決めることにより、柱部１３ａの長さを変えることができる。他の柱部１３ｂ，１３ｃ，１３ｄについても同様であり、ジョイント部を回転させて柱部１３ｂ，１３ｃ，１３ｄの長さを変えることができる。
【００３８】
仕切り部１６ａは、第１部分３１ａと底板部１２ａと天板部１２ｂとに接続されており、第２部分３２ａには接続されていない。他の仕切り部１６ｂ，１６ｃ，１６ｄについても同様である。仕切り部１６ａ〜１６ｄについては、底板部１２ａ、天板部１２ｂおよび柱部１３ａ〜１３ｄの接続箇所の一部において、着脱自在な構成である。
【００３９】
なお、収容箱１１内に青果Ｆを配置させる一例について説明する。まず、着脱自在な仕切り部１６ａ〜１６ｄの一部を取り外し、収容箱１１内に青果Ｆを入れる。ここで、まず、青果Ｆの果実Ｍを規制部２３の載置領域Ａ上に載置するようにする。ポットＰについては、格子状に組まれる接続部２４ａ，２４ｂ，２５ａ，２５ｂの間のスペースを利用してポットＰを通し、保持部２１の隙間Ｇに保持させる。その後、青果Ｆの蔓Ｔを支柱２６にある程度巻きつけるようにする。また、ポットＰ内に管２９を差し込む。最後に、取り外した仕切り部１６ａ〜１６ｄの一部を取り付ける。このようにして、収容箱１１内に青果Ｆを配置させる。なお、収容箱１１内に青果Ｆを配置させる場合、柱部１３ａ〜１３ｄを縮めた状態として青果Ｆを配置してもよい。
【００４０】
図５は、実施の形態１における柱部１３ａ〜１３ｄを縮めた収容箱１１を示す概略側面図である。図５を併せて参照して、第２部分３２ａの一部、この場合は第２部分３２ａの全てを第１部分３１ａ内に収容している。図５に示す底板部１２ａと天板部１２ｂとの距離Ｌ２は、図１に示す底板部１２ａと天板部１２ｂとの距離Ｌ１と比較して短くなっている。すなわち、図１に示す収容箱１１の体積と比較して、図５に示す収容箱１１の体積は、小さくなっている。具体的には、天板部１２ｂの板厚方向に見た平面視における面積×（距離Ｌ１−距離Ｌ２）の分だけ、収容箱１１の体積を小さくすることができる。よって、収容箱１１を輸送する際に必要な容積を小さくすることができる。例えば、トラックを用いて複数の収容箱１１を輸送する際に、図１に示す場合と比較して各収容箱１１の体積を小さくして、数多くの収容箱１１を輸送することができる。したがって、輸送コストの低減を図ることができる。なお、収容箱１１の体積を小さくしても、蔓Ｔや葉は多少の柔軟性を有するため、容積の変化に応じて変形することができる。輸送後に底板部１２ａと天板部１２ｂとの距離をＬ１に戻して、輸送時に押し縮められた蔓Ｔや葉を元の状態に戻すことができる。
【００４１】
上記収容箱１１によると、長手方向の長さが可変な柱部１３ａ〜１３ｄを備えるため、輸送時に柱部１３ａ〜１３ｄを短くして底板部１２ａと天板部１２ｂとの距離を近くし、全体の大きさを小さくすることができる。すなわち、輸送時に収容箱１１が占める体積を小さくすることができる。よって、輸送コストを抑えることができる。
【００４２】
また、ポットＰを保持する保持部２１を備えるため、ポットＰごと青果Ｆを輸送することができる。すなわち、果実Ｍを蔓Ｔや茎から切断して収穫することなく、輸送することができる。したがって、鮮度の高い状態で、顧客の元に送り届けることができる。
【００４３】
輸送して顧客の元に届けられた後には、柱部１３ａ〜１３ｄを長くして底板部１２ａと天板部１２ｂとの距離を遠ざけ、青果Ｆが収容される空間Ｓを大きくすることができる。したがって、輸送後にこのような状態として、例えばしばらく収穫を待機して、青果Ｆに生っている果実Ｍを熟成させることができる。すなわち、青果Ｆの果実Ｍを収容箱１１内で完熟させることも可能になる。顧客は、顧客の望むタイミングで蔓Ｔや茎から果実Ｍを取り外すことにより、顧客の望むタイミングで果実Ｍを収穫することができる。
【００４４】
本実施形態においては、柱部１３ａは、底板部１２ａに接続される筒状の第１部分３１ａと、天板部１２ｂに接続され、第１部分３１ａ内に収容可能な第２部分３２ａと、第１部分３１ａ内に第２部分３２ａの少なくとも一部を収容した状態で第２部分３２ａの長手方向の位置を固定するジョイント部３３ａとを含むため、柱部１３ａを短くする際、筒状の第１部分３１ａ内に第２部分３２ａの少なくとも一部を収容し、ジョイント部３３ａで第２部分３２ａの長手方向の位置を固定することができる。したがって、底板部１２ａと天板部１２ｂとの距離を望みの距離として、収容箱１１の大きさを調整することが容易になる。
【００４５】
本実施形態においては、収容箱１１は、ポットＰ内に液体を供給する供給機構２７を備えるため、収容箱１１内に青果ＦがポットＰごと収容された際に、供給機構２７によりポットＰ内に養液を供給することができる。よって、例えば輸送中に養液を青果Ｆに供給することができ、青果Ｆの育成の促進を図ることができる。
【００４６】
本実施形態においては、収容箱１１は、底板部１２ａと天板部１２ｂとの間の空間Ｓを外部から仕切る仕切り部１６ａ〜１６ｄを備えるため、収容箱１１の外部から青果Ｆが配置される空間Ｓを離隔して、例えば、収容箱１１内の温度や湿度を安定させることが容易となる。したがって、輸送する青果Ｆの品質向上を図ることができる。
【００４７】
本実施形態においては、仕切り部１６ａ〜１６ｄは、可撓性を有する部材から構成されているため、柱部１３ａ〜１３ｄを短くして底板部１２ａと天板部１２ｂとの距離を縮めた場合において、可撓性を有する部材が撓んで、収容箱１１の容積の変化に仕切り部１６ａ〜１６ｄの形状を対応させることができる。本実施形態においては、収容箱１１内の空間Ｓに余剰の仕切り部１６ａ〜１６ｄが垂れ下がった状態となっている。なお、図５において、仕切り部１６ａのうちの垂れさがっている部分の図示を省略している。また、柱部１３ａ〜１３ｄを短くした後、再度柱部１３ａ〜１３ｄを長くして容積を大きくしても空間Ｓのサイズの変化に仕切り部１６ａ〜１６ｄは対応することができる。したがって、収容箱１１内の温度や湿度をより安定させることができ、輸送する青果Ｆの品質向上をさらに図ることができる。
【００４８】
本実施形態においては、仕切り部１６ａ〜１６ｄは、仕切り部１６ａ〜１６ｄは、空間Ｓを外部から視認可能な透明部材から構成されているため、青果Ｆを収容箱１１内に収容した後においても、青果Ｆの状態を外部から容易に視認することができる。また、収容箱１１内に配置される青果Ｆに外部から光を供給することができる。したがって、例えば輸送中においても光合成を促進して、青果Ｆの育成の促進を図ることができる。
【００４９】
上記収容箱は、空間Ｓ内において青果Ｆの位置を規制する規制部２３を備えるため、輸送時において収容箱１１内における青果Ｆの移動を規制することができる。本実施形態においては、規制部２３は、一対の接続部２４ａ，２４ｂおよび一対の接続部２５ａ，２５ｂによって格子状に形成される載置領域Ａにおいて青果Ｆのうちの球状の果実Ｍを載置することにより青果Ｆの果実Ｍの位置を規制する。この場合、略球状の果実Ｍの一部を格子状の部分に嵌め込んで下から支える構成となる。したがって、青果Ｆおよび果実Ｍが輸送中に移動して衝突したり、衝突に伴って損傷するおそれを低減することができる。
【００５０】
本実施形態においては、収容箱１１は、柱状であって、長手方向の長さが可変であり、空間Ｓ内に配置されて青果Ｆ、具体的には青果Ｆの蔓Ｔを支持する支柱２６を備えるため、輸送中に青果Ｆを支柱２６によって支持することができる。したがって、輸送中における収容箱１１内における青果Ｆの姿勢や位置を安定させて、青果Ｆを損傷させるおそれを低減することができる。この場合、支柱２６は長手方向の長さが可変であるため、柱部１３ａ〜１３ｄの長さの変更に合わせて支柱２６の長さを変更することができる。したがって、収容箱１１の容積の変化に対応することができる。
【００５１】
本実施形態においては、底板部１２ａおよび天板部１２ｂは、それぞれ板厚方向に見た平面視で長方形状を有し、柱部１３ａ〜１３ｄは、底板部１２ａおよび天板部１２ｂの４つの角を含む領域に４つ備えられているため、４つの柱部１３ａ〜１３ｄと底板部１２ａと天板部１２ｂとの間の空間Ｓで、収容箱１１内に配置される青果Ｆの配置されるスペースを確保することができる。
【００５２】
以上より、上記収容箱１１によれば、顧客の要望に応じて顧客の元に青果Ｆを届けることができると共に、輸送コストの低減を図ることができる。
【００５３】
（実施の形態２）
次に、他の実施の形態である実施の形態２について説明する。図６は、実施の形態２における収容箱１１の概略斜視図である。図６は、図１に相当する図である。図１および図６を参照して、実施の形態２における収容箱１１は、基本的には実施の形態１の場合と同様の構成を有し、同様の効果を奏する。しかし、実施の形態２の収容箱１１は、供給機構を備えない点において実施の形態１の場合とは異なっている。
【００５４】
図６を参照して、実施の形態２における収容箱１１には、ポットＰ内に液体を供給する供給機構が備えられていない。このようにすることにより、空間Ｓ内の容積が広く確保される。特に、輸送先が近い場合や、輸送中にポットＰ内への養液の供給を停止させてもよい場合に、供給機構を備えない構成が好適に採用される。すなわち、収容箱が供給機構を備えない分、収容箱１１内の空間Ｓを有効活用することができる。
【００５５】
（実施の形態３）
次に、さらに他の実施の形態である実施の形態３について説明する。図７は、実施の形態３における収容箱１１の概略側面図である。図７は、図５に相当する図である。図５および図７を参照して、実施の形態３における収容箱１１は、基本的には実施の形態１の場合と同様の構成を有し、同様の効果を奏する。しかし、実施の形態３の収容箱１１は、仕切り部１６ａ〜１６ｄが可撓性を有しない部材から構成されている点において実施の形態１の場合とは異なっている。
【００５６】
図７を参照して、実施の形態３における収容箱１１において、仕切り部１６ａ〜１６ｄは、剛性を有する部材から構成される。この場合、例えば、仕切り部１６ａ〜１６ｄを高さ方向に分割された複数の板状の部材として柱部１３ａ等に取り付け、高さ方向にスライドさせて底板部１２ａと天板部１２ｂとの距離の変化に対応する。このようにすることにより、可撓性を有する部材が空間Ｓ内に垂れ下がることはなくなる。また、仕切り部１６ａ〜１６ｄによって、収容箱１１の剛性を高めることができる。
【００５７】
（実施の形態４）
次に、さらに他の実施の形態である実施の形態４について説明する。図８は、実施の形態４における収容箱の概略側面図である。図８は、図２に相当する図である。図２および図８を参照して、実施の形態４における収容箱１１は、基本的には実施の形態１の場合と同様の構成を有し、同様の効果を奏する。しかし、実施の形態４の収容箱１１は、支柱２６を備えない点において実施の形態１の場合とは異なっている。
【００５８】
図８を参照して、実施の形態４における収容箱１１において、支柱２６は備えられていない。このようにすることにより、支柱２６を備えない分、収容箱１１内の空間Ｓを有効活用することができる。特に、青果Ｆの蔓Ｔや茎がある程度の剛性を有し、支柱２６を備えなくとも収容箱１１内の空間Ｓにおいて、ある程度の位置が保持できる場合や、支柱２６を備えると青果Ｆが収容箱１１の空間Ｓ内に収めにくい場合に、好適に利用される。
【００５９】
（実施の形態５）
次に、さらに他の実施の形態である実施の形態５について説明する。図９は、実施の形態５における収容箱の概略側面図である。図９は、図２および図８に相当する図である。図２、図８および図９を参照して、実施の形態５における収容箱１１は、基本的には実施の形態１の場合と同様の構成を有し、同様の効果を奏する。しかし、実施の形態５の収容箱１１は、規制部２３の構成が異なる点において実施の形態１の場合とは異なっている。
【００６０】
図９を参照して、実施の形態５における収容箱１１において、規制部２３は、青果Ｆ、この場合は青果Ｆの果実Ｍを吊り下げる紐状部４１を含む。紐状部４１は、伸縮をほとんどしない部材で構成されていてもよいし、ゴム等のある程度伸縮性を有する部材で構成されていてもよい。もちろん、紐状部４１は、複数形成されてもよい。紐状部４１の太さや長さは、必要に応じて適宜選択される。紐状部４１は、その一方端部が天板部１２ｂのうちの底板部１２ａに対向する面４２に取り付けられた支持具４３に接続されている。紐状部４１は、その他方端部に取り付けられた保持具４４を青果Ｆの果実Ｍの根元部、例えば蔓Ｔと果実Ｍとの境界部分に取り付けることにより、青果Ｆの果実Ｍの移動を規制する。具体的には、果実Ｍの自重によりある程度のテンションで果実Ｍが吊り下げられた状態で、空間Ｓ内における天地方向および水平方向の移動が規制される。このようにすることによっても、青果Ｆの果実Ｍの空間Ｓ内における移動を規制することができる。特に、上記した実施の形態１における格子状に形成される載置領域Ａに載置できない大きさや形状の果実Ｍを輸送する場合や果実Ｍ自体を他の部材と接触させたくない場合に特に有効に適用することができる。また、一対の接続部２４ａ，２４ｂおよび一対の接続部２５ａ，２５ｂを形成しないで良いため、収容箱１１内の空間Ｓを広く確保することができる。なお、規制部２３は、一対の接続部２４ａ，２４ｂおよび一対の接続部２５ａ，２５ｂに加え、紐状部４１を備える構成としてもよい。このようにすることにより、果実Ｍの大きさや形状、さらには用途等に応じて、いずれかの規制部２３を輸送時に適宜利用することができる。
【００６１】
（他の実施の形態）
なお、上記の実施の形態においては、収容箱１１は、複数の柱部を備えることとしたが、これに限らず、柱部は１本であってもよい。また、柱部の伸縮自在な機構についても上記構成に限られず、例えば、第２部分が円筒状であって、第１部分が第２部分の内径に収容可能な径の円柱状であってもよい。また、柱部は、四角筒状や三角筒状といった角筒状の部材と、四角柱状や三角柱状といった角柱部材とから構成されていてもよい。また、いずれか一方が他方側に収容される構成ではなく、第１部分と第２部分とが板厚方向に見た平面視で異なる位置であって平行に配置され、それぞれが高さ方向に長さを可変なようにジョイント部で接続されていてもよい。底板部および天板部は、長方形状に限られず、板厚方向に見た平面視で外形形状が円状や楕円状であってもよいし、三角形状や六角形状等、多角形状であってもよい。底板部と天板部とは異なる形状であってもよい。
【００６２】
また、仕切り部については、収容箱１１に着脱可能な構成としてもよい。このようにすることにより、底板部１２ａと天板部１２ｂとの距離を短くした場合に、仕切り部を取り外して対応することができる。
【００６３】
なお、上記の実施の形態においては、仕切り部は、空間を外部から視認可能な透明部材から構成されることとしたが、これに限らず、仕切り部は、透明部材で構成されていなくともよい。特に、輸送中に光合成をさせたくない場合は、遮光性を有する部材で仕切り部を構成することにしてもよい。また、収容箱１１の中身を輸送中に見せたくない場合には、仕切り部を外部から空間を視認不可能な有色の部材で構成してもよい。また、仕切り部にサービス内容や内容物の表示等、文字や絵を記載するようにしてもよい。なお、柱部に文字や絵を記載することにしてもよい。また、供給機構について、収容箱の内部または外部に着脱可能な構成としてもよい。また、規制部を備えない構成としてもよい。
【００６４】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６５】
本願の収容箱は、顧客の要望に応じて顧客の元に青果を届けることおよび輸送コストの低減が場合に、特に有利に適用され得る。
【符号の説明】
【００６６】
１１  収容箱、１２ａ  底板部、１２ｂ  天板部、１３ａ，１３ｂ，１３ｃ，１３ｄ  柱部、１４ａ，１４ｂ，１５ａ，１５ｂ，１５ｃ，１５ｄ  連結部、１６ａ，１６ｂ，１６ｃ，１６ｄ  仕切り部、２１  保持部、２２ａ，２２ｂ，２４ａ，２４ｂ，２５ａ，２５ｂ  接続部、２３  支持部、２６  支柱、２７  供給機構、２８  取り付け部、２９  管、３１ａ  第１部分、３２ａ  第２部分、３３ａ  ジョイント部、３６ａ，３７ａ  端部、４１  紐状部、４２  面、４３  支持具、４４  保持具。
【図１】
2020117249.tif 000003
【図２】
2020117249.tif 000004
【図３】
2020117249.tif 000005
【図４】
2020117249.tif 000006
【図５】
2020117249.tif 000007
【図６】
2020117249.tif 000008
【図７】
2020117249.tif 000009
【図８】
2020117249.tif 000010
【図９】
2020117249.tif 000011